(57)【要約】【課題】構造材に隣接する縦樋等を含め、溶接作業を用いず、軽量な化粧カバー材を容易且つ短期間に精度良く確実に取り付け得る構造材に対する化粧カバー材の取付構造を提供する。【解決手段】柱(構造材)２の一対のフランジ４にて隣接する一端部にボルト１３で固定する２個の下地材５と、全体がチャンネル形状を呈し、両端が前記２個の下地材５に個別に固定され、互いに平行な一対の延長枠２０と、該一対の延長枠２０の先端同士を接続する外方枠２３とからなる支持枠ｆ１と、上記一対のフランジ４の一端部側ごとに跨る外側面において、２個の下地材５に両端部が固定される一端面化粧カバー２８と、上記支持枠ｆ１における一対の延長枠２０の外側面ごとに両端部が固定され、且つフランジ４と平行な一対の幅広化粧カバー２６と、上記支持枠ｆ１における外方枠２３の外側面に両端部が固定され他端面化粧カバー３０と、を備えてなる、化粧カバーの取付構造１ａ。【選択図】  図３
2017223023.tif 000002
【特許請求の範囲】
【請求項１】
ウェブと該ウェブの両端から直交する一対の平行なフランジとを備えた断面Ｈ字形状の構造材における少なくとも平行な２つの外側面を覆い、且つ前記構造材の残る２つの外側面のうち、１つの外側面の外方に突出した化粧カバーの取付構造であって、
上記構造材の一対のフランジにおいて隣接する一端部側にボルトにより個別に固定される２個の下地材と、
全体がチャンネル形状を呈し、両端が上記２個の下地材に個別に固定され、互いに平行な一対の延長部と、該一対の延長部の先端同士を接続する外方部とからなる支持枠と、
上記一対のフランジの上記一端部側ごとに跨る外側面において、上記２個の下地材に両端部が固定される一端面化粧カバー、あるいは、上記２個の下地材に個別に固定される一対の一端部化粧カバーと、
上記支持枠における一対の延長部の外側面ごとに両端部が固定され、且つ上記フランジと平行な一対の幅広化粧カバーと、
上記支持枠における外方部の外側面に両端部が固定される他端面化粧カバーと、を備えてなる、
ことを特徴とする構造材に対する化粧カバーの取付構造。
【請求項２】
前記支持枠における一対の延長部の内側面の中間ごとには、前記構造材のフランジごとの他端部側を挟持する係止枠が固定されている、
ことを特徴とする請求項１に記載の構造材に対する化粧カバーの取付構造。
【請求項３】
ウェブと該ウェブの両端から直交する一対の平行なフランジとを備えた断面Ｈ字形状の構造材における少なくとも平行な２つの外側面を覆い、且つ前記構造材の残り２つの外側面のうち、１つの外側面の外方に突出した化粧カバーの取付構造であって、
上記構造材における一方のフランジの両端部側にボルトにより個別に固定される２個の下地材と、
全体がチャンネル形状を呈し、両端が上記２個の下地材に個別に固定され、互いに平行な一対の延長部と、該一対の延長部の先端同士を接続する外方部とからなる支持枠と、
上記２個の下地材が隣接する上記一方のフランジの外側面において、前記２個の下地材に両端部が固定される一端面化粧カバー、あるいは、上記２個の下地材に個別に固定される一対の一端部化粧カバーと、
上記支持枠における一対の延長部の外側面ごとに両端部が固定され、且つ上記フランジと平行な一対の幅広化粧カバーと、
上記支持枠における外方部の外側面に両端部が固定される他端面化粧カバーと、を備えてなる、
ことを特徴とする構造材に対する化粧カバーの取付構造。
【請求項４】
前記支持枠における一対の延長部における内側面の中間ごとには、前記構造材における他方のフランジの両端部を挟持する挟持枠が固定されている、
ことを特徴とする請求項３に記載の構造材に対する化粧カバーの取付構造。
【請求項５】
前記２個の下地材の外側面ごと、および前記支持枠における外方部の両端部の外側面ごとには、断面Ｌ字形状である４個のコーナー枠が個別に固定されており、隣接する一対のコーナー枠の両端片ごとを介して、前記一端面化粧カバー、前記一対の幅広化粧カバー、および他端面化粧カバーが個別に固定されているか、あるいは、前記一方のフランジの外側面で隣接する上記一対のコーナー枠の一端部に一対の一端部化粧カバーが個別に固定されている、
ことを特徴とする請求項１乃至４の何れか一項に記載の構造材に対する化粧カバーの取付構造。
【請求項６】
前記支持枠は、前記一対の延長部と、これらの先端間を接続する外方部との一体物である形態、または、一方の前記延長部と前記外方部とからなる一体物と、他方の延長枠とからなる形態、あるいは、上記一対の延長部とその先端に連続する半外方部とを一体に有し、且つ互いに対称な一対の半支持枠とからなる形態の何れかである、
ことを特徴とする請求項１乃至５の何れか一項に記載の構造材に対する化粧カバーの取付構造。
【発明の詳細な説明】
【技術分野】
【０００１】
本発明は、例えば、Ｈ鋼などからなり、屋外あるいは屋内に露出し、且つ縦樋などに隣接する柱や梁などの構造材に対する化粧カバーの取付構造に関する。
【背景技術】
【０００２】
例えば、Ｈ鋼からなる鉄骨躯体（柱など）の外側面に取付ピースを溶接し、該取付ピースに対し調整可能に固定されたガゼットプレートや別の取付ピースなどを介して、上記鉄骨躯体の屋外側に、化粧用壁面としてのカーテンウォールを取り付ける化粧用壁板の取付構造が提案されている（例えば、特許文献１参照）。
また、複数の立体状鋼枠を連接してなる断面矩形状の柱材の周囲に、セラミックからなり且つ断面Ｌ字形状を呈する一対の化粧カバー部材を、該化粧カバー部材ごとの両端面に設けた挿入溝に進入する専用の連結具、および該連結具を上記柱材のコーナー部ごとに固定する係止ボルトによって、固定する隙間封止材を用いた化粧柱のシーリング構造も提案されている（例えば、特許文献２参照）。
【０００３】
しかし、前記特許文献１における化粧用壁板の取付構造のように、鉄骨の柱などの直に取付ピースを溶接した場合、該溶接に伴う熱的な影響（脆性化）により、構造材である前記柱の強度を損なうおそれがあり、特に、長期間にわたり屋外あるいは屋内に露出していた柱の外側を化粧材で覆う改装工事には、不向きであった。しかも、溶接作業すべき構造材の付近に溶接機や溶接用電源を用意し且つ移動させる必要があるため、施工に手間とコストが嵩む、という問題点もあった。
一方、前記特許文献２のように、柱材の周囲に、予め所定の断面形状に成形されたセラミック製の化粧カバー部材を、前記連結具や係止ボルトによって固定する場合には、前述した溶接に伴う問題はなくなる。しかし、係る特許文献２に記載された化粧柱のシーリング構造では、専用の柱材と化粧カバー部材とを用いるため、構造上、新設工事以外には適用しにくいと共に、内側の柱材に対して、その外側に固定するセラミック製の化粧カバー部材の重量が過大になるので、経年変化により前記化粧カバー部材が脱落するおそれもあった。
【０００４】
しかも、Ｈ鋼からなる構造材に隣接して、例えば、雨水を排水ための縦樋や照明ポールなどが立設されている場合、これらを含めた構造材の外側面に対して化粧カバーを取り付けることにつき、これまで何らの技術も開示されていなかった。
【先行技術文献】
【特許文献】
【０００５】
【特許文献１】実公平７−３５００２号公報（第１〜７頁、図１〜１４）
【特許文献２】特開２０００−５４６１４号公報（第１〜９頁、図１〜４）
【発明の概要】
【発明が解決しようとする課題】
【０００６】
本発明は、背景技術で説明した問題点を解決し、新設あるいは既設の構造材の外側面に対し、該構造材に隣接する縦樋、照明ポール、配電管、あるいは空調ダクトなどを含めて、溶接作業を用いず、比較的軽量な化粧カバー材を容易且つ短期間に精度良く確実に取り付けられる構造材に対する化粧カバー材の取付構造を提供する、ことを課題とする。
【課題を解決するための手段および発明の効果】
【０００７】
本発明は、前記課題を解決するため、断面Ｈ字形状を呈する構造材における一対のフランジごとの同じ端部側、あるいは一方のフランジの両端部側に所定の断面形状を呈する２個の下地材を固定し、係る下地材を活用して構造材の外方に突出して複数の化粧カバー材を取り付ける、ことに着想して成されたものである。
即ち、本発明による第１の構造材に対する化粧カバー材の取付構造（請求項１）は、ウェブと該ウェブの両端から直交する一対の平行なフランジとを備えた断面Ｈ字形状の構造材における少なくとも平行な２つの外側面を覆い、且つ前記構造材の残る２つの外側面のうち、１つの外側面の外方に突出した化粧カバーの取付構造であって、上記構造材の一対のフランジにおいて隣接する一端部側にボルトにより個別に固定される２個の下地材と、全体がチャンネル形状を呈し、両端が上記２個の下地材に個別に固定され、互いに平行な一対の延長部と、該一対の延長部の先端同士を接続する外方部とからなる支持枠と、上記一対のフランジの上記一端部側ごとに跨る外側面において、上記２個の下地材に両端部が固定される一端面化粧カバー、あるいは、上記２個の下地材に個別に固定される一対の一端部化粧カバーと、上記支持枠における一対の延長部の外側面ごとに両端部が固定され、且つ上記フランジと平行な一対の幅広化粧カバーと、上記支持枠における外方部の外側面に両端部が固定される他端面化粧カバーと、を備えてなる、を備えてなる、ことを特徴とする。
【０００８】
これによれば、以下の効果（１）〜（３）を奏することが可能となる。
（１）２個の前記下地材を、前記構造材における一対のフランジの同じ一端部側にボルトにより固定し、且つ係る２個の下地材により一対の延長部の一端部を固定し、該２個の下地材の他端部を上記各フランジと平行な外方に延ばし、係る他端部同士の間に外方部が固定される。そして、上記２個の下地材間の外側、一対の延長部の外側、および外方部の外側に対し、前記３種類の化粧カバー材を個別に固定できる。従って、前記構造材を損傷せず且つ該構造材の強度を低下させないと共に、熟練した作業者以外でも、前記構造材に対して化粧カバー材を容易で迅速に取り付けることができる。
（２）前記構造材に隣接して、縦樋や照明ポールなどが位置していても、係る縦樋などを含め、上記構造材の外側を意匠的に体裁良くカバーすることができる。
（３）新設の構造材でも既設の構造材であっても、前記下地材の固定時に際し、養生したり、養生材を必要としないので、工期を短くし且つ低コスト化できる。
（４）前記下地材はボルト止めで済み、且つ前記化粧カバー材はネジ止めにより済むことから、溶接時の溶接機、溶接用電源、および配線などが不要となるので、前記構造材付近のスペースを取らず且つ安全に取り付け作業が行える。
【０００９】
尚、断面Ｈ字形状（断面Ｉ字形状を含む）の前記構造材には、Ｈ鋼のほか、一対のチャンネル鋼材をそれらのウェブ同士で接合した複合鋼材や、一対のフランジの幅や厚みが相違する準Ｈ鋼なども含まれる。
また、Ｈ鋼などからなる前記構造材は、例えば、鉄道のプラットフォーム上の柱や梁、建物の外側に延びた車寄せ、庇、または渡り廊下などの柱や梁、あるいは、ビル内の吹き抜け部分や工場などの屋内において、外部に露出している柱や梁などが例示される。
更に、前記外側面とは、前記構造材における一対のフランジの外側に位置する仮想面、および該構造材における一対のフランジ間ごとの外側に位置する仮想面を指している。
【００１０】
また、前記下地材は、後述するアルミニウム合金を押出成形した形材の他、鋼材やステンレス鋼等からなる比較的精密な鋳造品、鍛造品、切削材としても良い。
更に、前記２個の下地材は、前記構造材における一対のフランジの一端部ごとで、且つ該構造材の長手方向における同じか、同様の位置に固定されるが、現場の事情などにより、長手方向において多少ずれた位置に固定されていても良い。
また、前記支持枠は、後述するように、一対の延長部と外方部とを一体とした形態、あるいは、一対の延長枠と外方枠とを接続した形態などからなり、例えば、ＳＳ鋼種などの普通鋼、ステンレス鋼、あるいは、アルミニウム合金の帯板を曲げ加工したものが適用される。
加えて、３種類の前記化粧カバー材は、後述するアルミニウム合金を押出成形などした形材のほか、アルミニウム合金やステンレス鋼などの帯板の曲げ加工材を用いても良い。上記３種類の化粧カバー材は、その外側面に任意の着色を施したり、各種の案内表示、記号、ロゴ、マークなどを付したり、あるいは照明手段やディスプレイを取り付けたものであっても良い。
【００１１】
また、本発明には、前記支持枠における一対の延長部の内側面のほぼ中間ごとには、前記構造材のフランジの他端部側を挟持する係止枠が固定されている、第１の構造材に対する化粧カバー材の取付構造（請求項２）も含まれる。
これによれば、前記支持枠における一対の延長部を、前記構造材における一対のフランジごとに対し、個別に離脱することなく強固に固定できるので、前記効果（１）を一層確実に奏することが可能となる。
【００１２】
一方、本発明による第２の構造材に対する化粧カバー材の取付構造（請求項３）は、ウェブと該ウェブの両端から直交する一対の平行なフランジとを備えた断面Ｈ字形状の構造材における少なくとも平行な２つの外側面を覆い、且つ前記構造材の残り２つの外側面のうち、１つの外側面の外方に突出した化粧カバーの取付構造であって、上記構造材における一方のフランジの両端部側にボルトにより個別に固定される２個の下地材と、全体がチャンネル形状を呈し、両端が上記２個の下地材に個別に固定され、互いに平行な一対の延長部と、該一対の延長部の先端同士を接続する外方部とからなる支持枠と、上記２個の下地材が隣接する上記一方のフランジの外側面において、前記２個の下地材に両端部が固定される一端面化粧カバー、あるいは、上記２個の下地材に個別に固定される一対の一端部化粧カバーと、上記支持枠における一対の延長部の外側面ごとに両端部が固定され、且つ上記フランジと平行な一対の幅広化粧カバーと、上記支持枠における外方部の外側面に両端部が固定される他端面化粧カバーと、を備えてなる、ことを特徴とする。
【００１３】
これによれば、前記効果（２）〜（４）に加えて、以下の効果（１′）を奏することができる。
（１′）２個の前記下地材を、前記構造材における同じ一方のフランジの両端部側にボルト止めで個別に固定し、且つ係る２個の下地材により前記支持枠における一対の延長部の一端部を固定し、該一対の延長部の他端部を他方のフランジの両端部を超えて外方に平行に延ばし、係る他端部同士の間に外方枠が固定される。従って、前記構造材を損傷せず且つ該構造材の強度を低下させないと共に、熟練した作業者以外でも、前記構造材に対して化粧カバー材を容易で迅速に取り付けることができる。
【００１４】
また、本発明には、前記支持枠における一対の延長部における内側面の中間ごとには、前記構造材における他方のフランジの両端部を挟持する挟持枠が固定されている、第２の構造材に対する化粧カバー材の取付構造（請求項４）も含まれる。
これによれば、前記一対の延長部を、前記構造材における他方のフランジの両端部に対し、個別に離脱することなく強固に固定することができるので、前記効果（１′）を一層確実に奏することが可能となる。
【００１５】
更に、本発明には、前記２個の下地材の外側面ごと、および前記支持枠における外方部の両端部の外側面ごとには、断面Ｌ字形状である４個のコーナー枠が個別に固定されており、隣接する一対のコーナー枠の両端片ごとを介して、前記一端面化粧カバー、前記一対の幅広化粧カバー、および他端面化粧カバーが個別に固定されているか、あるいは、前記一方のフランジの外側面で隣接する上記一対のコーナー枠の一端部に一対の一端部化粧カバーが個別に固定されている、第１および第２の構造材に対する化粧カバー材の取付構造（請求項５）も含まれる。
これによれば、前記効果（１），（１′），（２）を一層確実に奏することが可能となる。
【００１６】
尚、前記コーナー枠は、例えば、前記同様のアルミニウム合金の形材からなり、断面全体が角部にカーブした曲面を含む断面Ｌ字形状を呈し、係る断面の両端に断面Ｌ字形状の端部を互いに直角の姿勢で一体に付設したものである。
また、前記一対の一端部化粧カバーは、前記隣接する一対のコーナー枠の一端部に一方の端部を介して個別に固定され、係る一対の一端部化粧カバー同士間に挟まれた凹所（空間）には、例えば、消火器収納箱、非常停止ボタン、照明用スイッチ、各種の表示板、あるいは、ＡＥＤ用装置の収納容器などが配置される。
【００１７】
付言すれば、本発明には、前記支持枠は、前記２個の下地材に一端部が個別に固定され、且つ前記構造材のフランジごとの外側面を沿いつつ、他端部が該フランジごとに平行な外方に延びる一対の延長枠と、係る一対の延長枠の他端部ごとに両端部を個別に固定され、且つ前記ウェブと平行な外方枠とからなる形態、あるいは、前記２個の下地材に一端部が個別に固定され、他端部が前記構造材のウェブと平行で、且つ前記他方のフランジにおける外側面の外方に延びる一対の延長枠と、係る一対の延長枠の他端部ごとに両端部を個別に固定され、上記一対のフランジと平行な外方枠と、からなる形態の何れかである、第１および第２の構造材に対する化粧カバー材の取付構造も含まれ得る。
【００１８】
加えて、本発明には、前記支持枠は、前記一対の延長部と、これらの先端間を接続する外方部との一体物である形態、または、一方の前記延長部と前記外方部とからなる一体物と、他方の延長枠とからなる形態、あるいは、上記一対の延長部とその先端に連続する半外方部とを一体に有し、且つ互いに対称な一対の半支持枠とからなる形態の何れかである、第１および第２の構造材に対する化粧カバー材の取付構造（請求項６）も含まれる。
前記ような各形態の支持枠の何れかを選択的に用いることにより、前記構造材のサイズ、係る構造材の外側を囲む前記４種類の化粧カバーの包囲スペースなどに応じて、第１および第２の構造材に対する化粧カバー材の取付構造を、必要な強度を付与しつつ、比較的短い時間により、容易に施工できる（効果（５））。
【図面の簡単な説明】
【００１９】
【図１】（Ａ）は本発明の対象となるＨ鋼からなる構造材の柱と縦樋とを示す側面図、（Ｂ）は（Ａ）中のＢ−Ｂ線の矢視に沿った水平断面図、（Ｃ）は第１の取付構造の側面図、（Ｄ）は（Ｃ）中のＤ−Ｄ線の矢視に沿った水平断面図。
【図２】上記第１の取付構造における要部を示す斜視図。
【図３】（Ａ）は上記第１の取付構造を示す図１（Ｄ）の拡大水平断面図、（Ｂ）は下地材の断面図、（Ｃ）はコーナー枠の断面図。
【図４】（Ａ）は本発明の対象となるＨ鋼からなり且つ異なる形態の構造材の柱と縦樋とを示す側面図、（Ｂ）は（Ａ）中のＢ−Ｂ線の矢視に沿った水平断面図、（Ｃ）は第２の取付構造の側面図、（Ｄ）は（Ｃ）中のＤ−Ｄ線の矢視に沿った水平断面図。
【図５】上記第２の取付構造における要部を示す斜視図。
【図６】上記第２の取付構造を示す図４（Ｄ）の拡大水平断面図。
【図７】異なる形態の第１の取付構造を示す前記同様の水平断面図。
【図８】（Ａ）〜（Ｃ）は互いに異なる形態の支持枠を用いた第１の取付構造を示す水平断面図。
【発明を実施するための形態】
【００２０】
以下において、本発明を実施するための形態について説明する。
図１（Ａ），（Ｂ）に示すように、第１の構造材に対する化粧カバーの取付構造（以下、単に第１の取付構造と称する）１ａの対象となるＨ鋼からなる柱（構造材）２と、例えば、雨水を排水するための縦樋Ｐとは、前記柱２における図示で右側のフランジ４の外方に前記縦樋Ｐが隣接するように、例えば、駅のブラットフォームなどの床面Ｆ上に立設されている。
上記第１の取付構造１ａは、図１（Ｃ），（Ｄ）に示すように、上記柱２と縦樋Ｐとを、両者の外側を包囲するように配設される。尚、上記縦樋Ｐは、例えば、照明ポール、配線筒、送電筒、あるいは、空調用ダクトなどてあっても良い。
前記第１の取付構造１ａは、図１（Ｄ），図２，図３（Ａ）に示すように、前記柱２に固定された２個の下地材５、平面視で全体がチャンネル形状（コ字形状）を呈し、且つ後述する３種類の化粧カバー２６，２８，３０を外側に固定するための支持枠ｆ１が上記柱２の長手（軸）方向に沿って複数組設けられている。
【００２１】
前記支持枠ｆ１は、一端部２２が上記下地材５に個別に固定される左右一対の延長枠（延長部）２０と、それらの他端部２２に両端部２５が個別に固定された外方枠（外方部）２３とからなる。
また、前記下地材５は、アルミニウム合金（例えば、ＪＩＳ：Ａ６０６３−Ｔ５）を押出成形した形材を所定の長さで切断したもので、図３（Ｂ）に示すように、断面視がほぼＬ字状の外側片６と、同様の内側片７と、これらの両端を接続する両端一対の端片８と、前記外・内側片６，７の中間に位置する隔壁９とに囲まれた細長い台形状を呈する一対の中空部１０とを有する断面を、その長手方向の全長に沿って有している。前記一対の中空部１０は、互いに直交する向きに配置され、一方が前記ウェブ３と平行で且つ他方がフランジ４に沿っている。上記内側片７における一片からは、他片と平行にして固定片１１が延びており、該固定片１１の中程には雌ネジ孔１２が形成されている。該雌ネジ孔１２には、蝶ボルト（ボルト）１３が進退自在に貫通している。更に、上記固定片１１と内側片７との間には、前記フランジ４の端部側を受け入れる凹溝５ｍが位置している。
尚、前記隔壁９を省略して、断面全体がＬ字形状を呈する中空部１０としても良い。また、前記蝶ボルト１３は、通常のボルト頭を有する普通のボルトとしても良い（以下の図面においても同じ）。
【００２２】
前記第１の取付構造１ａは、次のようにして構築される。
先ず、図１（Ｄ），図３（Ａ）に示すように、２個の前記下地材５を、前記柱２における一対のフランジ４の同じ一端部側ごとにおいて、個々のフランジ４の端部側を当該下地材５ごとの凹溝５ｍ内に個別に挿入し、係る状態で固定片１１を貫通している蝶ボルト１３を回して前進させ、該蝶ボルト１３の先端をフランジ４ごとの内側面に当接する。これによって、２個の上記下地材５を、柱２における一対のフランジ４の同じ一端部側（図示で左側）ごとに固定する。
次いで、前記２個の前記下地材５における前記柱２のフランジ４ごとの外側面に位置する端片８に、例えば、帯鋼からなり、前記支持枠ｆ１を構成する左右一対の比較的長尺な延長枠２０の一端部２１を、小ネジ（ビス）ｂにより、個別に固定する。係る延長枠２０の内側面における所定の位置には、予め、平面視がほぼＺ字（クランク）形状の係止枠１８の外側片１８ｂが固定されている。
【００２３】
そのため、前記係止枠１８の内側片１８ａがフランジ４ごとの内側面に面接触することにより、フランジ４ごとの他端部側（図示で略中央）が該係止枠１８に挟まれるので、上記固定と共に各延長枠２０は、柱２の各フランジ４の外側面に強固に取り付けられる。尚、上記係止枠１８の内側片１８ａとフランジ４ごとの内側面との間には、例えば、硬質ゴムなどからなる緩衝材１９が配置されている。
上記一対の延長枠２０の他端部２２は、図１（Ｄ），図３（Ａ）に示すように、前記柱２における他方のフランジ４の外方（図示で右側の外側）に互いに平行に延びている。
次に、上記一対の延長枠２０の他端部２２同士に、前記支持枠ｆ１を構成し、且つ平面視がほぼＣ字形状を呈する外方枠２３の両端部２４の内側に折曲する先端片２５を、小ネジｂによって個別に固定する。その結果、前記図２に示した支持枠ｆ１が構築される。係る支持枠ｆ１を、前記柱２の長手方向に沿って複数組設ける。
【００２４】
尚、予め前記一対の延長枠２０と外方枠２３とを連結して、上記支持枠ｆ１を構成し、該支持枠ｆ１を水平に移動して前記２個の下地材５に固定しても良い。
更に、図１（Ｄ），図３（Ａ）に示すように、前記２個の下地材５の外側片６の外側と、前記支持枠ｆ１における外方枠２３の両端部２４の外側とに対し、４個のコーナー枠１４を個別に固定する。係るコーナー枠１４も、前記同様の形材からなり、図３（Ｃ）に示すように、断面が円弧形状のコーナー片１５の両端にそれぞれ断面Ｌ字形状を呈する中端片１７と先端片１６とを対称に有している。係る４個のコーナー枠１４は、前記小ネジｂによって、上記２個の下地材５の外側片６の外側と、前記外方枠２３の各端部２４の外側とに、個別に固定される。
【００２５】
加えて、前記２個の下地材５の外側片６の外側に固定された一対のコーナー枠１４間に、一端面化粧カバー２８の両端部２９の先端片を前記小ネジｂにより個別に固定する。また、前記一対のコーナー枠１４と前記外方枠２３の両端部２４の外側に固定されたコーナー枠１４との間ごとに、一対の幅広化粧カバー２６における両端部２７の先端片を上記同様にして固定する。尚、図３（Ａ）中の右側に例示するように、端部２７，３１に隣接する凹部内にキャップｃを嵌め込んでも良い。該キャップｃは、薄肉である前記同様の形材あるいは樹脂枠からなる。
最後に、前記外方枠２３の両端部２４の外側に固定された一対の前記コーナー枠１４間に、他端面化粧カバー３０の両端部３１を前記小ネジｂにより個別に固定する。尚、一端面化粧カバー２８と他端面化粧カバー３０とは、例えば、アルミニウム合金からなる形材または板材や、ステンレス鋼板などからなり、同じ断面形状を有するように共通に折り曲げ加工されたものである。
【００２６】
以上の結果、図１（Ｄ），図３（Ａ）に示すように、前記柱２における３つのの外側面と、該柱２の外方側に隣接する縦樋Ｐの周囲とを、前記２個の下地材５と、係止枠１８を含む一対の延長枠２０および外方枠２３からなる前記支持枠ｆ１と、一対の幅広化粧カバー２６、一端面化粧カバー２８、および他端面化粧カバー３０とからなる第１の取付構造１ａを構築することができる。
以上のように、前記柱２における３つの外側面を覆い、且つ残り１つの外側面の外方に突出した形態である第１の取付構造１ａによれぱ、前記効果（１）〜（４）を確実に奏することが可能である。
【００２７】
図４（Ａ），（Ｂ）に示すように、第２の取付構造１ｂの対象となるＨ鋼からなる柱２と、縦樋Ｐとは、該柱２の図示で右側に位置する他方のフランジ４の外方に前記縦樋Ｐが隣接している。尚、係る第２の取付構造１ｂの柱２は、前記第１の取付構造１ａの柱２とは、平面視で向きが９０度相違している。
上記第２の取付構造１ｂも、図４（Ｃ），（Ｄ）に示すように、上記柱２の外側面と縦樋Ｐの周囲とに沿って、両者の外側を包囲するように配設される。
前記第２の取付構造１ｂも、図４（Ｄ），図５，図６に示すように、前記柱２に固定された２個の下地材５と、一対の延長枠２０ａおよび外方枠２３からなり、且つ後述する３種類の化粧カバー２６，２８，３０が固定される支持枠ｆ２とが、上記柱２の長手方向に沿って複数組設けられている。
【００２８】
前記第２の取付構造１ｂは、次のようにして構築される。
先ず、図４（Ｄ），図６に示すように、２個の前記下地材５につき、前記柱２における一方（図示で左側）のフランジ４における両端部側を、下地材５ごとの凹溝５ｍ内に個別に挿入し、係る状態で固定片１１を貫通している蝶ボルト１３を回して前進させ、該蝶ボルト１３の先端を上記一方のフランジ４の内側面に当接することにより、２個の上記下地材５を、柱２における一方のフランジ４の両端部側に個別に固定する。
次いで、前記２個の前記下地材５における前記柱２のフランジ４ごとの外側面に位置する端片８に、例えば、帯鋼からなり、前記支持枠ｆ２を構成する一対の延長枠２０ａの一端部２１を、ビス（小ネジ）ｂにより個別に固定する。係る一対の延長枠２０ａは、長手方向の中間に外側に張り出した偏倚部２０ｈを有すると共に、該偏倚部２０ｈの内側面には、断面がほぼ下駄形状の挟持枠３２が小ネジｂにより固定されている。
【００２９】
前記挟持枠３２は、前記同様の形材からなり、図４（Ｄ），図６に示すように、前記偏倚部２０ｈの内側面に面接触する基板３４と、該基板３４の内側面から直角且つ平行に延びた一対の突片３３とを備え、一方の突片３３に穿設された雌ネジ孔（図示せず）には、前記同様の蝶ボルト１３が進退可能に貫通している。尚、前記延長枠２０ａの偏倚部２０ｈは、上記基板３４の厚み相当分だけを外側に偏倚した部分である。
前記一対の延長枠２０ａの一端部２１が、下地材５に固定されると、上記挟持枠３２における一対の突片３３の間に、前記柱２における他方（図４（Ｄ）で右側）のフランジ４の両端部側が個別に挟み込まれる。係る状態で、前記蝶ボルト１３を回して前進させ、該蝶ボルト１３の先端を上記フランジ４の内側面に当接することによって、上記一対の延長枠２０ａを、柱２の一方および他方の両フランジ４の両端部側ごとに個別に固定する。
【００３０】
その結果、前記一対の延長枠２０ａの他端部２２は、図４（Ｄ），図６に示すように、前記柱２における他方のフランジ４の外方に、互いに平行に延びている。
次に、上記一対の延長枠２０ａの他端部２２同士に、前記支持枠ｆ２を構成し、且つ平面視がほぼＣ字形状を呈する外方枠２３の両端部２４で内側に折曲する各先端片２５を、小ネジｂによって個別に固定する。その結果、前記図５に示した支持枠ｆ２が構築される。係る支持枠ｆ２を、前記柱２の長手方向に沿って複数組設ける。
更に、図４（Ｄ），図６に示すように、前記２個の下地材５の外側片６の外側と、前記支持枠ｆ２における外方枠２３の両端部２４の外側とに対し、４個のコーナー枠１４を前記同様にして個別に固定する。
【００３１】
加えて、前記２個の下地材５における外側片６の外側に固定された一対のコーナー枠１４間に、一端面化粧カバー２８の両端部２９を前記小ネジｂによって個別に固定する。また、前記一対のコーナー枠１４と前記外方枠２３の両端部２４の外側に固定されたコーナー枠１４との間ごとに、一対の幅広化粧カバー２６の両端部２７を上記同様にして固定する。尚、端部２７に隣接する凹部にも前記キャップｃを嵌めても良い。
最後に、前記外方枠２３の両端部２４の外側に固定された一対の前記コーナー枠１４間に、他端面化粧カバー３０の両端部３１を前記同様に個別に固定する。
【００３２】
以上の結果、図４（Ｄ），図６に示すように、前記柱２における３つの外側面と、該柱２の外方側に隣接する縦樋Ｐの周囲とを覆うと共に、前記２個の下地材５と、前記挟持枠３２を含む一対の延長枠２０ａおよび外方枠２３からなる支持枠ｆ２と、一端面化粧カバー２８、一対の幅広化粧カバー２６、および他端面化粧カバー３０とからなる第２の取付構造１ｂを構築することができる。
以上のように、前記柱２における３つの外側面を覆い、且つ残り１つの外側面の外方に突出した形態である第２の取付構造１ｂによれぱ、前記効果（１′）〜（４）を確実に奏することが可能である。
尚、前記下地材５ごとの凹溝５ｍの最奥部に、前記挟持枠３２の基板３４の厚みに相当するスペーサ（図示せず）を装着し、係る凹溝５ｍ内に前記柱２のフランジ４を挿入することで、前記延長部２０ａに替えて、直線状の前記延長部２０を含む支持枠ｆ１を用いても良い。
【００３３】
図７は、前記図１〜図３で示した形態とは異なる形態である第１の取付構造１ａを示す前記同様の水平断面図である。
係る第１の取付構造１ａは、図７に示すように、柱２における一対のフランジ４ごとの同じ端部側（図示で左側）に固定した一対の下地材５において、該一対の下地材５同士が対向する端片８側の外側に、一対の一端部化粧カバー３５を対称且つ個別に固定している。係る一端部化粧カバー３５は、前記同様の形材からなり、図示のように、断面全体がほぼＬ字形状を呈すると共に、一端側にＬ字形状の端部３６を有している。係る端部３６を、予め前記下地材５ごとの外側面に固定されたコーナー枠１４の端部１６上に重ねた状態で、小ネジｂを該端部３６、コーナー枠１４、および下地材５の前記外側片６に貫通してネジ込まれている。
【００３４】
そのため、図７に示すように、前記一対の下地材５同士が対向する端片８側の外側に、一対の一端部化粧カバー３５が対称且つ個別に固定されていると共に、これら両者の間に、前記柱２におけるウェブ３と一対のフランジ４とに囲まれた凹所（空間）Ｓが外部に開口している。尚、係る形態の第１の取付構造１ａは、前記一端面化粧カバー２８を、上記一対の一端部化粧カバー３５に置き換え点を除き、その他の部分（支持枠ｆ１など）は前記形態と同様である。
上記凹所Ｓには、図７に示すように、例えば、消火器収納箱や、ＡＥＤ用装置の収納容器などの非常時用具の収納ケース３８が、前記床面Ｆ側、あるいは柱２の長手方向の中間に対し、直に、またはブラケット等を介して配置される。
以上のように、前記柱２における２つの平行な外側面を覆い、且つ残り２つの外側面のうち、一方の外側面の外方に突出した形態である第１の取付構造１ａによっても、前記効果（１）〜（４）を確実に奏することが可能である。
【００３５】
図８（Ａ）は、前記第１の取付構造１ａにおいて、異なる形態の支持枠ｆ３を用いた状態を示す前記同様の水平断面図である。係る支持枠ｆ３は、前記同様の端部２１，２２を両端に有する左右一対の延長部２０ｐと、該延長部２０ｐの他端部２２に両端部２４を連設した前記同様の外方部２３ｐとの一体物である。
また、図８（Ｂ）は、前記第１の取付構造１ａにおいて、更に異なる形態の支持枠ｆ４を用いた状態を示す前記同様の水平断面図である。係る支持枠ｆ４は、図示で下側に配置する前記同様の延長枠２０と、図示で上側に位置する上記同様の延長部２０ｐおよび該延長部２０ｐの他端部２２に連なる上記同様の外方部２３ｐとを、延長枠２０の他端部２２と外方部２３ｐの端部２４の先端片２５との間を、ネジｂにより連結して構成したものである。
【００３６】
更に、図８（Ｃ）は、前記第１の取付構造１ａにおいて、別異な形態の支持枠ｆ５を用いた状態を示す前記同様の水平断面図である。係る支持枠ｆ５は、図示のように、前記同様の延長部２０ｐの他端部２２に、平面視がＬ字形状を呈する半外方部２３ｈの端部２４を連設した左右一対の半支持枠同士を、半外方枠２３ｈ同士の端部を、ネジｂにより連結して構成したものである。
以上のような支持枠ｆ３〜ｆ５用いた第１の取付構造１ａによれば、前記同様の効果（１）〜（４）に加え、前記（５）を奏することも可能となる。
また、前記支持枠ｆ５は、前記第２の取付構造１ｂに対しても活用することができる。
【００３７】
本発明は、以上において説明した各形態に限定されるものではない。
例えば、本発明の対称となる構造材には、Ｈ鋼やＩ型鋼のほか、一対のチャンネル型鋼（Ｃ型鋼）を個々の開口部が離間して接合あるいは併列させた複合材も含まれ、且つ、その用途には、柱や梁のほか、斜めの筋交いなども含まれる。
また、前記構造材は、断面がＨ字形状（Ｉ字形状を含む）であれば、長手方向に沿った一対の長尺材とこれらの間をほぼ幅方向に連結する複数の連結材とからなるトラス構造を有する柱、梁、筋交い、桁なども含むことも可能である。
更に、前記下地材は、例えば、亜鉛合金などのダイカストによる精密鋳造品や、Ｔｉ合金などの精密鋳造品からなるものとしても良い。
【００３８】
また、前記柱２に隣接する物は、前記縦樋Ｐに限らず、例えば、照明ポール、送配電用筒体、空調用ダクト、水道管、ガス管、あるいは、前記と同じ柱３とは異なる比較的小さな柱などの構造材であっても良い。
更に、前記下地材５は、その固定片１１が前記柱２のフランジ４ごとの外側面に位置する形態とし、該固定片１１の前記雌ネジ孔１２には、雄ネジ部分の軸方向の長さが比較的短い通常のボルトを進退可能に貫通させたものとしても良い。
また、前記幅広化粧カバー２６、一端面化粧カバー２８、および他端面化粧カバー３０は、前記コーナー枠１４を介さずに、前記下地材５の外側片６あるいは前記外方枠２３の両端部２４側に対して直かに固定しても良い。
加えて、前記化粧カバー材やコーナー枠には、前記アルミニウム合金を押出成形した形材や各種の金属板の曲げ加工材のほか、硬質樹脂を射出成形や塑性加工した平板状あるいは断面円弧形状の樹脂材を適用することも可能である。
【産業上の利用可能性】
【００３９】
本発明によれば、構造材の外側面に対し、該構造材に隣接する縦樋、照明ポール、配電管、あるいは空調管を含めて、溶接作業を用いず、比較的軽量な化粧カバー材を容易且つ短期間に精度良く取り付けられる構造材に対する化粧カバー材の取付構造を確実に提供することができる。
【符号の説明】
【００４０】
１ａ，１ｂ……取付構造
２………………柱（構造材）
３………………ウェブ
４………………フランジ
５………………下地材
６………………下地材の外側片（外側面）
１３……………蝶ボルト（ボルト）
１４……………コーナー枠
１６……………コーナー枠の端片
１８……………係止枠
２０，２０ａ…延長枠（延長部）
２０ｐ…………延長部
２１……………延長枠／延長部の一端部
２２……………延長枠／延長部の他端部
２３……………外方枠（外方部）
２３ｐ…………外方部
２４，２５……外方枠／外方部の端部
２６……………幅広化粧カバー
２７……………幅広化粧カバーの端部
２８……………一端面化粧カバー
２９……………一端面化粧カバーの端部
３０……………他端面化粧カバー
３１……………他端面化粧カバーの端部
３２……………挟持枠
３５……………一端部化粧カバー
ｆ１〜ｆ５……支持枠
【図１】
2017223023.tif 000003
【図２】
2017223023.tif 000004
【図３】
2017223023.tif 000005
【図４】
2017223023.tif 000006
【図５】
2017223023.tif 000007
【図６】
2017223023.tif 000008
【図７】
2017223023.tif 000009
【図８】
2017223023.tif 000010